(57)【特許請求の範囲】
【請求項１】
身辺処理器具であって、
身体領域の処理のために設けられる身体処理部片と、
添加物供給システムと、
を有し、
該添加物供給システムは、処理を受ける前記身体領域に処理添加物を供給するために設けられ、
該添加物供給システムは、添加物レザバーと、分配手段と、適用手段と、連結手段とを具え、
前記添加物レザバーは、前記処理添加物を貯蔵し、前記身体処理部片から或る距離の位置に配置され、
前記分配手段は、調合された量の前記処理添加物を前記添加物レザバーから生ぜしめるように設計され、前記身体処理部片から或る距離の位置に配置され、
前記適用手段は、処理を受ける前記身体領域に前記処理添加物を適用し、前記身体処理部片に隣接して配置され、
前記連結手段は、前記分配手段と前記適用手段との間において配置され、該連結手段を通じて、前記添加物レザバーから調合された量で得られる前記処理添加物が前記適用手段に供給され得、
前記連結手段及び前記分配手段は、互いに対して連結される別個の手段によって実現され、
前記連結手段及び前記分配手段は、互いから着脱され得るよう構成され、
前記連結手段は、当該身辺処理器具に着脱自在に連結され、また、
該連結手段は、手で取り外され得るよう構成される、
ことを特徴とする身辺処理器具。
【請求項２】
前記連結手段及び前記分配手段は、組み立てられた１個のユニットになるよう合体結合され、該ユニットは、当該身辺処理器具に着脱自在に連結されると共に、手で取り外され得るよう構成される、
ことを特徴とする請求項１に記載の身辺処理器具。
【請求項３】
更に、前記適用手段は、当該身辺処理器具に着脱自在に連結されると共に、手で取り外され得るよう構成される、
ことを特徴とする請求項１に記載の身辺処理器具。
【請求項４】
電気シェーバとして構成される、
ことを特徴とする請求項３に記載の身辺処理器具。
【請求項５】
当該身辺処理器具は、箔シェービングシステムを具える電気シェーバとして構成され、該箔シェービングシステムは、篩形シェービング箔を保持するようその長手方向において延在する箔フレームを有し、
前記適用手段は、チャネルによって形成され、該チャネルは、当該身辺処理器具の外部に開放するよう前記箔フレームの外側表面に設けられると共に、前記箔フレームの長手方向に対して平行である方向において前記箔フレームの前記外側表面で延在する、
ことを特徴とする請求項４に記載の身辺処理器具。
【発明の詳細な説明】
【０００１】
本発明は特許請求の範囲の請求項１の前文に記載された身辺処理器具に関するものである。
【０００２】
請求項１の前文に記載されたような器具は例えば、第DE1247900B号の特許明細書から既知である。この既知の器具は電気シェーバであって、その身体処理部片として、３個のほぼＵ字状の固定カッタを具え、これ等固定カッタには毛通過溝孔を設け、これ等固定カッタを器具内に静止維持している。更にこの既知の電気シェーバには往復動するように駆動される３個のカッタを設け、この３個のカッタもＵ字状で、毛通過溝孔を設けており、固定カッタに協働するように構成している。この既知の器具の添加物供給システムは器具のベース端に位置する添加物レザバーを具え、この添加物レザバー内に、添加物としての流体を収容している。分配手段として設けたポンプ作用弁によって、添加物レザバーから添加物を取り出すことができる。連結手段を通じて、適用手段に添加物を供給するため、ポンプ作用弁を手で作動させることができる。連結手段は特に２個の連結管から成り、この場合、適用手段は２個の適用管によって形成されており、これ等２個の適用管は上記のカッタ素子間に配置されており、各適用管には処理を受ける皮膚に向くそれぞれの領域内に複数個の開口を設けている。シェービング作用中、処理を受ける皮膚に、即ちシェービングされる皮膚に、この開口を通じて、供給された添加物を加えている。
【０００３】
この既知の身辺処理器具においては、連結手段、分配手段、及び適用手段を固定して組み込んでおり、この構造は器具の可能な限り最も簡単な構造を達成するためには、誠に好適であるが、重要な問題がある。それは、この器具を長期間、使用しないと、実質的に流体である処理添加物は特に連結手段の領域で、甚だしく乾燥してしまい、適用手段への添加物の供給をほぼ阻止してしまい、この器具を不作動にしてしまう。この既知の器具においては、このような不作動故障は専門のサービス工場で修理しなければ回復することができない。
【０００４】
本発明の目的は上述の従来技術の問題点を簡単に、簡単な手段によって解消し、改良された身辺処理器具を得るにある。
【０００５】
この目的を達成するため、本発明は請求項１の前文に記載された装置に、請求項１の特徴とするの部分に記載された要旨を設ける。本発明によるこの要旨を設けることにより、連結手段を本発明器具から容易に分離することができ、従って、この器具の使用者によって、連結手段を十分に清掃することができ、そのため、完全に衛生的な状態が常時得られ、長期間、使用しない場合に、処理添加物の乾燥によって生ずる不作動故障を各使用者自身によって、簡単に修復することができる。更に、本発明の対策によれば、完全に機能しなくなった連結手段を取り替える目的で、連結手段を簡単に交換することができ、従って、新たな正しく機能する連結手段に取り替えることができる。
【０００６】
本発明器具において、請求項２の要旨を加えて設けた時、非常に有利であることがわかった。これにより、添加物レザバーを交換する際、分配手段と連結手段とに機械的な負荷が作用していても、分配手段と連結手段との間の完全な連結をもとの状態のままに、常時、維持することができる。
【０００７】
本発明器具において、請求項３の要旨を加えて設けた時、特に有利であることがわかった。本発明器具から適用手段を更に簡単に分離することができ、適用手段も簡単、容易に、十分に清掃することができ、希望すれば交換することもできる。
【０００８】
本発明器具は種々の構造にすることができる。例えば、本発明器具は脱毛装置、又はマッサージ装置、又は皮膚浄化装置として構成することができる。しかし、請求項４に記載した要旨を実現した時、特に有利であることがわかった。本発明による対策はこのような電気シェーバに、特に有利であることがわかった。
【０００９】
更に、請求項５の要旨を設けた時、電気シェーバによって形成された本発明器具において、非常に有利であることがわかった。このような構造はその特に簡潔さにおいて、及び特に良好に簡単に清掃することができる点で顕著である。
【００１０】
更に、請求項６の要旨を加えて設けた時、上述のパラグラフに記載された本発明器具に、非常に有利であることがわかった。このような構成は適用手段として設け、外方に開放しているチャネルに、処理添加物を特に良好に供給し得る利点がある。これは、このチャネルに両端から、添加物を供給するからである。
【００１１】
上述の態様、及び本発明のその他の態様は以下に説明する実施例から明らかになるであろうし、この実施例を参照することによって明瞭となるであろう。
図面に示す実施例を参照して、以下に本発明を一層詳細に説明するが、本発明はこの実施例に限定されない。
【００１２】
図１〜図８は身辺で使用する器具、及びこの器具のそれぞれの部位を示す。ここに説明するこの身辺で使用する器具はいわゆる女性用シェーバであって、以下簡単にシェーバ１と称する。
【００１３】
シェーバ１はハウジング２を具える。このハウジング２はほぼ、樋状のハウジング部３と、閉じ部片４と、カバー部６とによって形成されており、閉じ部片４によって、樋状のハウジング部３の側方開口５を閉じることができ、カバー部６は樋状のハウジング部３に着脱自在に連結される。
【００１４】
樋状のハウジング部３の下端７に２個の接点ピン８、９を設け、ケーブル（図示せず）によって、これ等接点ピン８、９に主電圧を加えることができる。更に、ハウジング部３の側面１０は、いわゆる２構成部分射出成型法によって、ハウジング部３に一体に連結されたカバー１１を具え、このカバー１１は弾性的に動くことができ、シェーバ１の組立状態において、このカバー１１の背後にはシェーバ１のオンオフスイッチが位置しており、従って、カバー１１によって、このオンオフスイッチを操作することができる。ハウジング部３の上端１２には、フレームホルダ１４と、トリマホルダ１５とを収容し、保持する手段１３を設ける。この手段１３は詳しく説明しない。
【００１５】
フレームホルダ１４、及びトリマホルダ１５は以下に一層詳細に説明する。ハウジング部３には更に、側方開口５を包囲する窪み溝１６を設け、この窪み溝１６内にワイヤの連続片１７を入れることができる。ワイヤの連続片１７を窪み溝１６内に入れた後、樋状のハウジング部３の側方開口５の領域に、閉じ部片４を配置することができる。次にこの組み立てたユニットを磁界に導入すると、ワイヤの連続片１７は非常に強く誘導加熱されるから、共に樹脂から成るハウジング部３、及び閉じ部片４のハウジング領域はワイヤの連続片１７に接しているため、強力に加熱されて融け、樋状のハウジング部３と、閉じ部片４との間に水を通さない継目を生ぜしめる。この水を通さない継目は関連する器具部片が樋状ハウジング部３内に組み付けられるまでは生じないことは明らかである。
【００１６】
この閉じ部片４はその外側面１８の領域に添加物供給システムの部片を固定する緊締手段１９を有する。これについては以下に一層詳細に説明する。この緊締手段１９は外側面１８から突出する２個の緊締スリーブ２０と、２個の設置スタッド２１とを具える。これ等の機能について、以下に一層詳細に説明する。
【００１７】
ハウジング部３におけると同様に、ここでも２構成部分射出成型法によって、弾性的に変形可能なカバー２２をカバー部６に設ける。更に、図面には見えないがカバー部６に連結手段を設け、この連結手段によって、樋状のハウジング部３に、着脱自在にカバー部６を連結し得るようにすることに注目すべきである。
【００１８】
充電式電池２５の室２４と、モータ２７の室２６とを具えるホルダ２３をシェーバ１に設ける。充填式電池２５、及びモータ２７は簡単に、ホルダ２３内に導入することができる。保持フックによって、ホルダ２３に保持し得るプリント回路板２８を保持するように、ホルダ２３は付加的に構成されている。上述したように弾性的に変形し得るカバー１１によって作動し得るオンオフスイッチ２９をプリント回路板２８に接続する。更に、充電用電子装置をプリント回路板に設け、これにより充填式電池２５を充電し得るようにする。更に、ピン電池接触片３０、電池モータ接触片３１、及びピン回路板接触片３２を収容し、保持するようにホルダ２３を構成する。ピン電池接触片３０は接点ピン８と充電式電池２５との間に電気伝導する接続部を構成している。電池モータ接触片３１は充電式電池２５とモータ２７との間の接続部を構成する。接点ピン９と、プリント回路板２８の接続点３３との間に電気伝導する接続部を達成するため、ピン回路板接触片３２が設けられている。ピン回路板接触片３２と接続点３３との間の電気伝導する接続はワイヤ（図示せず）によって実現する。
【００１９】
ほぼＵ字状の振動ブリッジ３４をホルダ２３に設ける。振動ブリッジ３４は剛強バー３５と、２個の脚３６、３７とを具え、これ等脚は一方では既知の方法でホルダ２３に接続され、他方ではフィルムジョイントによって剛強バー３５に接続されている。駆動管３８は振動ブリッジ３４の剛強バー３５から突出する。駆動管３８に挿入部３９を設ける。この駆動管３８の自由端に溝孔を設け、更に、この駆動管３８に２個の保持突起４０、４１を設ける。振動ブリッジ３４を駆動する目的で、偏心ピン４３を有する偏心片４２をモータ２７に設ける。振動ブリッジ３４の剛強バー３５の凹所（図１に図示せず）内に、偏心ピン４３を突出させる。二重矢印４４にて示す縦方向に移動するように、偏心ピン４２によって振動ブリッジ３４を駆動することができる。
【００２０】
シェービングすべき身体の領域を処理するように、シェーバ１は設計され、構成されている。処理する身体の領域をシェービングし得るようにするため、シェーバ１に身体処理部片を設ける。このシェーバ１の上記身体処理部片は箔シェービングシステム４５と、クリッパシェービングシステム４６とを具える。
【００２１】
箔シェービングシステム４５はその身体処理部片として篩形のシェービング箔４７と、複数個の薄片から成る薄片形の下部カッタ４８とを具える。螺旋圧縮ばね４９を駆動管３８の内部に挿入した後、薄片形の下部カッタ４８を駆動管３８の自由端に十分に押しつけることができ、その上で、一旦、駆動管３８に押しつけられた薄片形の下部カッタ４８は螺旋圧縮ばね４９によって生ずる力に抗して、保持突起４０、４１によって保持される。保持突起４０、４１の作用に打ち勝って、薄片形の下部カッタ３８を手で駆動管３８から除去することができる。
【００２２】
シェーバ１は篩形シェービング箔４７を保持するため、箔フレーム５０を具える。箔フレーム５０は二重矢印４４によって示す箔フレームの縦方向に、ほぼ平行に、ほぼ平坦に延びる第１縦壁５１、及び第２縦壁５２（特に図５に示す）と、第１側壁５３、及び第２側壁５４とを具える。箔フレーム５０を保持するため、上述のフレームホルダ１４をこのシェーバ１に設ける。フレームホルダ１４は図１に２個のみを示した全部で４個の保持突起５５を具える。フレームホルダ１４を挿入する目的で、樋状のハウジング部３の上端１２の領域に設けた隔室５６内に、フレームホルダ１４を挿入することができる。フレームホルダ１４のための隔室５６はハウジング３の下端７に端部が向いている底壁５６Ａ（図２、及び図３参照）によって閉じることができる。この底壁５６Ａに開口５６Ｂ（図２、及び図３参照）を設け、この開口５６Ｂに駆動管３８を通し得るようにする。
【００２３】
シェーバ１を組み立てた時、フード形のシール５７を駆動管３８の上に通し、このフード形のシール５７の凹部５７Ａ（図３参照）が挿入部３９の区域にあるようにし、このようにして、挿入部３９のこの区域において、駆動管３８との水を通さない継目を形成する。フード形のシール５７は円形部５８を有し、この円形部５８は一方では隔室５６の底壁５６Ａ上にあり、他方ではフレームホルダ１４の横壁５９によって、押圧維持される。横壁５９はフード形のシール５７のための通路６０を有する。このようにして、フード形のシール５７の環状部５８によって、隔室５６の底壁５６Ａと、フレームホルダ１４の横壁５９との間にも、水を通さない継目を形成する。これは、保持突起５５によって、ハウジング部３に保持されるフレームホルダ１４がフード形のシール５７の環状部、即ち円形部５８を隔室５６の底壁５６Ａに押しつけるからである。
【００２４】
フレームホルダ１４はその底壁５９から突出する２個のブロック６１、６２を有し、これ等ブロックからそれぞれの保持フック６３、６４を突出する。２個の各保持フック６３、６４の後部に凹部６５を設け、この凹部にそれぞれのフック状補助ばね６６、６７を挿入し、これにより、長い作動寿命の場合でも、保持フック６３、６４のばね作用を確実なものにする。保持フック６３、６４によって、箔フレーム５０をシェーバ１の残部に着脱自在に連結する。
【００２５】
トリマを意味することもあるクリッパシェービングシステム４６はそれぞれシェーバ１の身体処理部片を構成している固定カッタ６８と、駆動カッタ６９とから成る。固定カッタ６８を保持するため、シェーバ１に上述のトリマホルダ１５を嵌着する。フレームホルダ１４と同様、樋状のハウジング部３の上端１２の領域に、トリマホルダ１５を固着し得るようにする。駆動カッタ６９を固定カッタ６８に対し、相対的に移動可能なように支持し、往復動できるように固定カッタ６８に対し動かし得るようにする。
【００２６】
薄片形の下部カッタ４８、及び駆動トリマカッタ６９の駆動は振動ブリッジ３４により、更に駆動管３８により達成される。薄片形の下部カッタ４８は駆動管３８によって、二重矢印４４の方向に平行に、往復動するように駆動することができる。この二重矢印４４は同時に、箔シェービングシステム４５の箔フレームの縦方向も示している。シェーバ１の駆動トリマカッタ６９を駆動するため、枢着軸７１の周りに回動するように、トリマホルダ１５によって支持されるトリマ駆動レバー７０を設ける。トリマ駆動レバー７０に通路７２を設け、この通路に駆動管３８を通す。更に、駆動トリマカッタ６９に作動可能に連結される駆動スタッド７３をトリマ駆動レバー７０に設ける。このようにして、駆動トリマカッタ６９はトリマ駆動レバー７０によって、二重矢印４４の方向に往復動するように駆動することができる。このトリマ駆動レバー７０を設けることによって、駆動管３８の運動に対向する運動を駆動スタッド７３が行うことができ、その結果、薄片形の下部カッタ４８と、駆動トリマカッタ６９とは相互に対向する運動を実施する。この運動はできるだけ振動のない動作を達成するために好適であることがわかった。
【００２７】
シェーバ１に添加物供給システム７５を嵌着する。処理中の身体の領域、即ちこの場合のシェービングする身体領域に処理添加物を加えるように、この添加物供給システム７５は設計されている。この場合の処理添加物はシェービングプロセスを容易に、一層快適にするための流体シェービングローションである。
【００２８】
添加物供給システム７５は処理添加物を貯蔵するための添加物レザバー７６を具え、この添加物レザバー７６はハウジング部３の下端７から出発する位置、即ち身体処理部片から或る距離だけ離れた位置にあり、従って、このレザバー７６はシェービング箔４７、及び薄片形下部カッタ４８から十分に離れ、しかも固定トリマカッタ６８、及び往復トリマカッタ６９からも十分に離れている。この添加物レザバー７６はアルミニウム箔から形成された袋と、連結片７８とから成り、この連結片７８はほぼ中空シリンダとして形成され、この中空シリンダは気体、及び液体を透過しない閉塞手段によって内部を閉塞されている。このシェーバ１の組み立てた状態では、閉じ部片４の緊締手段１９の２個の設置スタッド２１によって、連結片７８はその位置に保持される。
【００２９】
更に、添加物供給システム７５は添加物レザバー７６から調合した量の処理添加物を生ぜしめるための分配手段７９を具え、この分配手段も身体処理部片４７、４８、６８、６９から或る距離に配置されている。分配手段７９は隔膜ポンプとして簡単に構成したポンプ８０を具える。ポンプ８０に作動隆起部８１を設け、シェーバ１を組み立てた状態において、弾性的に変形可能なカバー２２の背後に作動隆起部８１を位置させ、ポンプ８０を作動させるため、弾性的に変形可能なカバー２２によって、作動隆起部８１を作動させることができるようにする。更に、分配手段７９はポンプ８０に固着された管状の導入片８２を具え、導入片８２の自由端に３個の垂片８３を設ける。添加物レザバー７６の連結片７８を導入片８２に連結することができ、即ち導入片８２に十分に押しつけることができ、この場合、中空円筒連結片７８を導入片８２の外側にはめ込むことができ、これにより、連結片７８の内部にある閉塞手段を３個の垂片８３によって破壊し、添加物レザバーから配合された量の処理添加物を供給することができるようにする。更に、管部分によってほぼ形成され、ポンプ８０に固着された送出片８４を分配手段７９に設ける。
【００３０】
更に、添加物供給システム７５は適用手段８５を具える。この適用手段８５は処理を受ける身体領域に処理添加物を加えるように設計されており、身体処理部片４７、４８、６８、６９に隣接して配置されている。この場合、図８に特に明瞭に示すように、チャネル８５によって、適用手段８５を形成し、この適用手段を箔フレーム５０内に、また特に、箔フレーム５０の平坦第１縦壁５１の領域内に設け、このチャネル８５を二重矢印４４に平行に、即ち箔フレーム縦方向４４に平行に延在し、外側に開口する。適用手段８５を形成しているチャネル８５は箔フレーム５０の２個の側壁５３、５４の間の距離によって、実質的に画成される長さを有する。チャネル８５の幅はその長さに沿って変化する。図４から明らかなように、このチャネル８５の幅はチャネル８５の２個の端部８６、８７の領域で最も小さく、チャネル８５の中心領域８８で最大である。更に、チャネル８５の下側は互いに屋根形を形成している２個の境界面８９、９０（図８参照）によって区切られており、この結果、チャネル８５は２個の端部８６、８７の区域で最も深く、中心の区域８８で最も浅い。外側に開いており、幅が変化し、深さが変化しているチャネル８５の形のこのような適用手段８５の形状は箔シェービングシステム４５を有するシェーバ１に処理添加物を有効に、満足に加えるのに特に有利であることがわかった。適用手段８５、即ちチャネル８５に関して、このチャネル８５は孔９１、９２（図８参照）を通じて、その２個の端部８６、８７を縦壁５１のそれぞれの端面９３、９４まで延長していることに注意すべきである。
【００３１】
最後に、添加物供給システム７５は連結手段９５を具える。身体処理部片４７、４８、６８、６９から或る距離に配置された添加物供給システム７５の構成部分を、即ち分配手段７９、及び添加物レザバー７６を、身体処理部片４７、４８、６８、６９に隣接して配置された添加物供給システム７５の構成部分に、即ち適用手段８５に連結するために連結手段９５は必要である。分配手段７９によって、添加物レザバー７６から配合された量として得られた処理添加物を適用手段８５に供給するように、連結手段９５は設計されている。この場合、連結手段９５は共に合成樹脂から成る第１連結部片９６と、第２連結部片９７とから成る。これ等２個の連結部片９６、９７は相互に固着されている。
【００３２】
第１連結部片９６は緊締片９８を具える。緊締手段１９に関連して、連結手段９５を閉じ部片４に緊締するために緊締片９８は設けられている。特に図５、及び図７に明示するように、緊締片９８に２個の緊締レセプタクル９９を設ける。閉じ部片４上の緊締スリーブ２０上に、摩擦力によって、緊締レセプタクル９９を設置することができ、緊締片９８、従って緊締手段９５を閉じ部片４、従ってハウジング２に確実に保持することができる。これは、緊締スリーブ２０と、緊締レセプタクル９９との間の摩擦による保持のためである。緊締手段１９の緊締スリーブ２０と、緊締レセプタクル９９とによって、次の付加的な大きな利点が得られる。即ち、連結したこれ等を再び相互に分離することができ、その結果、連結手段９５をシェーバ１に、即ちシェーバ１のハウジング２に着脱自在に連結し得ること、及びこれ等を手で取り外すことができるように連結手段９５を構成することができることである。手で取り外すことができるのは、連結手段９５は緊締片９８の領域で、親指と人さし指とで握ることができ、次に緊締スリーブ２０から簡単、容易に引き外すことができるからである。
【００３３】
更に、連結手段９５はアルファベットのＹに相当する形状を有する中間片１００を具える。中間片１００は緊締片９８に連結される中心部１０１と、ほぼＵ字状の端部１０２とから成り、この端部１０２はブリッジ部１０３、及び２個の脚部１０４、１０５を有する。２個の脚部１０４、１０５を有するブリッジ部１０３に第２連結部９７を主に連結する。
【００３４】
図２、及び図３から明らかなように、中心部１０１に孔１０６を設け、分配手段７９の送出片８４の自由端をこの孔１０６から突出させ、これにより、液体不透過性の連結部を形成する。この詳細は図６にも明らかである。更に重要な詳細部分が図６には明らかである。即ち、連結手段９５と分配手段７９とは１個の構成部分になるように結合しており、この構成部分はシェーバ１に、即ちシェーバ１のハウジング２に着脱自在に連結され、手で取り外すことができるように構成されている。連結手段９５と分配手段７９とによって形成されたこの組立体は次のように実現されている。即ち、図６に明らかなように、分配手段７９の送出片８４にロックスタッド１０７を設け、送出片８４を中心部１０１内に挿入した時、ロックスタッド１０７が中心部１０１のロック突起１０８の背後にあるようにし、これにより、確実な保持連結を実現し、上述の組立体を生ぜしめる。この結果、緊締片９８、及び連結手段９５を緊締手段１９の緊締スリーブ２０から手で除去した時、分配手段７９をも常にシェーバ１から取り外すことができる。
【００３５】
ほぼＹ字状であるチャネル形態１０９が連結手段９５の中間片１００にあることを連結手段９５に関して、更に注目すべきである。チャネル形態１０９に関連して、特に図３、更に、図１、図２、図４、図５、及び図８を参照する。チャネル形態１０９は円周方向に閉じた複数個のチャネルから成る。チャネル形態１０９は連結手段９５の中心部１０１にあって、孔１０６から出発している第１チャネル１１０を具える。２個のチャネル１１１は第１チャネル１１０から分岐しており、第１チャネルはシェーバ１のほぼ縦方向に延在するが、２個のチャネル１１１はシェーバ１の縦方向に対し横方向に、互いに反対方向に延びている。図３では１個のみのチャネル１１１を示す。この場合、２個のチャネル１１１は中間片１００のブリッジ部１０３内に延在する。
【００３６】
ブリッジ部１０３（特に図４参照）は卵形を半分にした形状にほぼ類似して、湾曲した形状であるから、ブリッジ部１０３に設けた２個のチャネル１１１も湾曲した通路に従う。各２個のチャネル１１１はそれぞれのチャネル１１２、１１３に連結されており、チャネル１１２、１１３は図８に特に明瞭に示すようにシェーバ１のほぼ縦方向に延びている。一方のチャネル１１２は中間片１００の一方の脚部１０４に設けられ、他方のチャネル１１３は中間片１００の他方の脚部１０５に設けられている。２個のチャネル１１２、１１３は外部に開いたチャネル８５、即ち箔フレーム５０内の適用手段８５のそれぞれの端部８６、８７に、それぞれの孔９１、９２を通じて連通している。処理添加物は分配手段７９のポンプ８０の作動により、チャネル形態１０９を通じて、適用手段８５に、即ち開放チャネル８５に、確実に、迅速に加えられる。
【００３７】
連結手段９５と分配手段７９と、更に適用手段８５とをシェーバ１に着脱自在に連結することができ、更に適用手段８５が箔フレーム５０に取り付けられていることにより、連結手段９５、分配手段７９、及び適用手段８５を手で取り外すことができることをこのシェーバ１で簡単に達成することができることを、この場合の適用手段８５に関して注目すべきである。
【００３８】
上述のシェーバの有利な構造の故に、適用手段８５、連結手段９５、及び添加物供給システム７５の分配手段７９を簡単、容易にシェーバ１から分離することができるから、シェーバ１のいかなる使用者も、これ等の構成部分を十分に清掃することを有利に達成する。このようにして、使用する回数が多く、長期間に使用する場合でも、シェーバ１内を完全に衛生的な状態にすることができる。更に、シェーバ１を長期間使用しなかった後、分配手段７９、連結手段９５、及び適用手段８５の領域内の処理添加物が乾燥してしまっている場合には、それぞれの使用者が乾燥した処理添加物を除去することができるから、この乾燥した処理添加物を容易に取り除くことができる。更に、新たな連結手段９５、及び新たな分配手段７９に交換する目的で、それぞれの使用者によって、連結手段９５、及び分配手段７９を容易に交換することができる利点がある。
【００３９】
本発明は上述の実施例を参照して説明した器具に限定されない。本発明は往復動するように駆動されるカッタを有するシェーバに使用されるだけでなく、回転駆動されるカッタを有するシェーバにも使用することができる。本発明はシェーバに適用できるだけでなく、例えば脱毛装置、マッサージ装置、皮膚浄化装置、及び類似の装置のような身体の管理のための他の器具にも適用することができる。本発明器具においては、分配手段にはポンプだけでなく、弁を設けることができ、処理添加物が過剰な圧力を受けて、添加物レザバー内にある場合でも、この弁により、調合された量の処理添加物を添加物レザバーから供給することができる。本発明器具においては、上述の実施例による器具の連結手段、及び適用手段の代わりに、代案の構造の連結手段、及び代案の構造の適用手段を設けることができる。本発明器具の添加物供給システムの連結手段は上記の実施例とは異なる別個の手段によって、器具内に固定され、取り付けることができる。この別個の手段としては例えば、ロックねじ、調整可能な保持ブラケットがあるが、これ以外の代わりの取付け装置も使用することができる。その場合、まず、この取付け手段を取り外すべきで、その上で、手で取り外し得るように構成された連結手段を手で容易に取り外すことができる。
【図面の簡単な説明】
【図１】  添加物供給システムを嵌着した女性用シェーバである本発明実施例の身辺処理器具を前方、及び上方から斜めに見た分解図で示す。
【図２】  ハウジングカバー部と、充電式電池と、モータと、電池、及びモータのホルダと、このモータで駆動される数個の構成部分とを図示しないで、組み立てた状態の断面で図１の女性用シェーバを示す。
【図３】  添加物供給システムを取り外した位置に示し、図１、及び図２の女性用シェーバを図２と同様に示す。
【図４】  図１〜図３の女性用シェーバを前方、及び上方から斜めに見て、図３と同様に示す。
【図５】  図１〜図４の女性用シェーバを後方、及び下方から斜めに見て、図３と同様に示す。
【図６】  図１〜図５の女性用シェーバのうち図２に鎖線の円VIで示した部分の詳細を示す。
【図７】  添加物供給システムを器具の残りの部分に着脱自在に固定するための緊締手段を特に見えるようにした図１〜図５の女性用シェーバの図２のVII−VII線上の断面図である。
【図８】  添加物供給システムの必須構成部分を特に見えるようにした図１〜図７の女性用シェーバの詳細な部分の図２のVIII−VIII線上の横断面図である。
【図１】
0004729214.tif 000002
【図２】
0004729214.tif 000003
【図３】
0004729214.tif 000004
【図４】
0004729214.tif 000005
【図５】
0004729214.tif 000006
【図６】
0004729214.tif 000007
【図７】
0004729214.tif 000008
【図８】
0004729214.tif 000009